(57)【要約】【課題】原稿の表面を見ながら原稿のレイアウトを決めることができ、かつ、カールした原稿の折れや位置ズレを無くす。【解決手段】原稿保持部材６を画像読取装置本体１から取り外し、作業場所へ移動する。次に、読取領域表示シート４を、透明平板部材２に接続する。次に、透明平板部材２の面２Ｆを上向きにして作業場所に置く。透明シート３を開き、原稿を透明平板部材２の面２Ｆの上に、表面を上向きにして載置する。原稿の配置が完了したら、透明シート３を閉じ、原稿を透明平板部材２と透明シート３との間で挟み込む。原稿のセットが完了したら、原稿保持部材６を画像読取装置本体１に接続する。次に、読取領域表示シート４を透明平板部材２から取り外す。原稿押圧部材５を閉じ、操作部８を操作して複写作業を行う。【選択図】        図１
2004317932.tif 000002
【特許請求の範囲】
【請求項１】
画像読取装置本体に設けられ原稿が載置される原稿台と、上記画像読取装置本体に開閉可能に設けられ、上記原稿台に載置された原稿を押圧する原稿押圧部材と、上記原稿押圧部材と上記原稿台との間で開閉可能に上記画像読取装置本体に設けられた原稿保持部材とからなり、上記原稿保持部材は、上記原稿押圧部材側に配置された剛性のある透明平板部材と、上記原稿台側に配置され、上記透明平板部材との間で上記原稿を保持する透明シートとから構成されることを特徴とする画像読取装置。
【請求項２】
請求項１に記載の画像読取装置において、上記原稿保持部材は、上記画像読取装置本体に対して着脱可能に取り付けられていることを特徴とする画像読取装置。
【請求項３】
請求項１または２に記載の画像読取装置において、原稿の読取り領域を表示する読取領域表示シートが上記透明平板部材に着脱可能に取り付けられていることを特徴とする画像読取装置。
【発明の詳細な説明】
【０００１】
【発明の属する技術分野】
本発明は、複写機、ファクシミリ装置、スキャナ装置等に装備される画像読取装置に関し、より詳細には、原稿の表面を見ながら、原稿の読取り位置のレイアウトを容易に決めることができ、かつ、カールした原稿の位置ズレや折れをなくすようにした画像読取装置に関する。
【０００２】
【従来の技術】
複写機、ファクシミリ装置、スキャナ装置等に装備される画像読取装置においては、原稿の画像を読取るために、原稿を密着させて載置するコンタクトガラスを有する原稿台と、このコンタクトガラス上に原稿を押圧する原稿押圧部材が設けられている。この原稿台に筒状にカールした原稿を載置するためには、カールした原稿を一方の手で引き延ばしておいて、他方の手で素早く原稿押圧部材を原稿に押圧する必要がある。カールがきつい原稿の場合には、原稿を原稿押圧部材で押圧する前に、原稿が丸まってしまい、原稿押圧部材により押圧された原稿が折れたり、原稿の位置がズレてしまう不具合が生じている。
【０００３】
このようなカールした原稿を原稿台に容易に載置するようにしたものとして、奥スケールの上部に透明な原稿カール規制ガイド部を形成し、原稿をコンタクトガラスと原稿カール規制ガイド部との隙間に差し込むことにより、原稿カールを規制するようにした装置がある。しかしながら、この装置は、原稿の表面（読取り面、または複写面）を下向きにしてコンタクトガラス上に載置する方式である。したがって、表面を見ながら原稿のレイアウトを決めることができないため、原稿の上下左右やレイアウトを間違う場合があり、また、新聞の切り抜きのような不定形の原稿を複数枚並べて一度に読取らせる場合には、何回か複写してみて原稿の配置を修正しないと、希望するレイアウトにならない不具合がある。さらに、画像読取装置から離れた場所で原稿のレイアウト作業を行うことができないため、原稿のレイアウト作業中も画像読取装置を占有し、その間、別の作業者が画像読取装置を使用することができないという不具合がある。（特許文献１参照）
【０００４】
原稿の表面を見ながら原稿のレイアウトを決めることができるようにしたものとして、表面が白色で柔軟性を有する基板と、この基板の両側に柔軟性のある透明カバーを開閉自在に取り付けた装置がある。その使用方法は、透明カバーを両側に開き、基板上に原稿をその表面を上向きにして配置し、その後透明カバーを両側共に閉じて裏返し、その状態で複写機の原稿台に載置して複写する方法である。従って、原稿の表面（読取り面）を見ながら原稿のレイアウトを決めることができる。しかし、柔軟性のある基板と透明カバーで原稿を保持する方式であるため、原稿のカールがきついと、原稿押圧部材による原稿押圧が完了する前に、原稿が丸まってしまい、原稿押圧部材により押圧された原稿が折れたり、原稿の位置がズレてしまう不具合が生じる。また、基板には原稿のレイアウトを容易にする目的で、コピーサイズに応じた複数の複写領域（例えばＡ３、Ｂ４、Ａ４、Ｂ５の４種類）が薄い色で印刷されている。したがって、複写の濃度が濃いと、例えば、今読取らせているサイズの原稿がＢ５の場合、Ｂ５より大きなサイズの複写領域Ａ４、Ｂ４、Ａ３が、複写紙に複写されてしまう不具合が発生する。（特許文献２参照）
【０００５】
【特許文献１】
特開２０００−１６８９９６号明細書
【特許文献２】
実公平３−１０５０６号明細書
【０００６】
【発明が解決しようとする課題】
本発明は上記従来の問題点に鑑みてなされたもので、第１の目的は、原稿の表面（読取り面、または複写面）を見ながら原稿のレイアウトを決めることができ、かつ、カールした原稿の折れや位置ズレを無くすようにした画像読取装置を提供することである。
【０００７】
本発明の第２の目的は、原稿のレイアウト作業中に、別の作業者が画像読取装置を使用することができるようにした画像読取装置を提供することである。
【０００８】
本発明の第３の目的は、定型で、かつカールしていない原稿の場合には、原稿のレイアウトを短時間で行えるようにした画像読取装置を提供することである。
【０００９】
本発明の第４の目的は、画像読取り時には、読取領域表示シートの読取り領域が読み込まれることを防止するようにした画像読取装置を提供することである。
【００１０】
【課題を解決するための手段】
請求項１の発明は、画像読取装置本体に設けられ原稿が載置される原稿台と、上記画像読取装置本体に開閉可能に設けられ、上記原稿台に載置された原稿を押圧する原稿押圧部材と、上記原稿押圧部材と上記原稿台との間で開閉可能に上記画像読取装置本体に設けられた原稿保持部材とからなり、上記原稿保持部材は、上記原稿押圧部材側に配置された剛性のある透明平板部材と、上記原稿台側に配置され、上記透明平板部材との間で上記原稿を保持する透明シートとから構成されることを特徴とする画像読取装置である。
【００１１】
請求項２の発明は、請求項１に記載の画像読取装置において、上記原稿保持部材は、上記画像読取装置本体に対して着脱可能に取り付けられていることを特徴とする画像読取装置である。
【００１２】
請求項３の発明は、請求項１または２に記載の画像読取装置において、原稿の読取り領域を表示する読取領域表示シートが上記透明平板部材に着脱可能に取り付けられていることを特徴とする画像読取装置である。
【００１３】
【発明の実施の形態】
以下、本発明の実施形態を図面に基づいて詳細に説明する。図１は本発明を複写機の画像読取装置に適用した斜視図、図２は、図１の原稿保持部材の一部をＡ矢視方向から見た拡大斜視図である。図１および図２に示すように、複写機５０の画像読取装置本体１の上面には、原稿を密着させて載置する透明なコンタクトガラス７を有する原稿台と、このコンタクトガラス７上に載置された原稿を押圧する原稿押圧部材５が設けられている。この原稿押圧部材５は、画像読取装置本体１の後側の開閉支点５Ａによって、開閉可能に配置されている。図１では左側の開閉支点５Ａだけが見え、右側の開閉支点は隠れていて見えない。原稿押圧部材５の縦横の寸法は、原稿押圧部材５が閉じた時に、コンタクトガラス７の縦横の寸法より若干大きめになるように設定されている。画像読取装置本体１の前側には、複写機５０を操作するための操作部８が配置されている。
【００１４】
画像読取装置本体１の後側には、上記した原稿押圧部材５の開閉支点５Ａとコンタクトガラス７の後側７Ａとの間に、原稿保持部材６が開閉可能に配置されている。原稿保持部材６は、縦横の寸法がコンタクトガラス７の縦横の寸法とほぼ同一寸法の、読取領域表示シート４、透明平板部材２、および透明シート３の３枚から構成され、原稿押圧部材５側からこの順番で重ね合わせられている。透明平板部材２は、剛性のある透明な平板で構成され、カールした原稿を丸まらずに保持する際の剛性の中心となるものである。図３は原稿保持部材を画像読取装置本体に対して着脱する機構を説明する斜視図である。図３に示すように、透明平板部材２の左辺２Ａと右辺２Ｂの下端には、原稿保持部材６の開閉の中心となる軸９が左右に水平に突出し、円筒状の軸受１０に回転可能に挿入されている。この軸受１０は、軸受１０から下方に延びる突起１１が、画像読取装置本体１の上面に穴明けされた穴１２に着脱可能に嵌合している。図３では左辺２Ａ側の着脱機構のみを示し、右辺２Ｂ側に設けられた着脱機構については省略している。
【００１５】
透明シート３は、柔軟性のある透明なシートで構成され、下辺３Ｃ側の幅Ｂの部分（約５〜１０ｍｍ程度）が透明平板部材２に下辺３Ｃの全長Ｗにわたって接着されている。透明平板部材２と透明シート３との間に原稿を挟み込む場合には、透明平板部材２に対して透明シート３を矢印Ｃの−方向に開き、原稿を透明平板部材２上に載せた後、透明シート３を矢印Ｃの＋方向に閉じて挟み込む。読取領域表示シート４は、柔軟性のあるシート材料で構成され、コンタクトガラス７の読取領域に対応した複数の領域（例えば、Ｂ５、Ａ４、Ｂ４、Ａ３の４種類）が線で表示されている。この読取領域表示シート４は、原稿をセットするまでは必要であるが、原稿のセットが完了すれば、複写の際に余計な線として複写紙に複写される恐れがあるため、余計なものとなる。したがって、読取領域表示シート４を透明平板部材２に着脱可能に取り付け、複写の際には、読取領域表示シート４を透明平板部材２から取り外すことが好ましい。
【００１６】
すなわち、図４は透明平板部材に対して着脱可能な読取領域表示シートの一部を示す斜視図であり、図１のＡ矢視方向から見た拡大斜視図である。図４に示すように、読取領域表示シート４には、下辺４Ｃ側に近い左辺４Ａと右辺４Ｂに、各々３個の歯形状突起１３が形成され、透明平板部材２に形成された歯形状凹部１４と着脱可能に係合している。柔軟性のある読取領域表示シート４側の歯形状突起１３を、透明平板部材２側の歯形状凹部１４よりも若干大きめに作り、歯形状突起１３と歯形状凹部１４が係合した時に、歯形状突起１３が弾性変形して歯形状凹部１４に食い込み、読取領域表示シート４を透明平板部材２にしっかり固定する。読取領域表示シート４を透明平板部材２から取り外す場合には、読取領域表示シート４の上辺４Ｄを手で持ち、読取領域表示シート４が透明平板部材２から離れる方向に開けば良い。
【００１７】
次に本発明の実施形態の原稿セット作業の流れを説明する。図５は本発明の画像読取装置の原稿セット作業の流れを示すフローチャートである。図５に示すように、原稿画像の読取時（複写時）に原稿保持部材６を使用するか否か判断する（Ｓ１０１）。原稿が定型であって、かつカールしていない場合には（Ｓ１０１、ＮＯ）、原稿保持部材６を上方に引っ張り上げ、軸受１０の突起１１を穴１２から抜き出すことにより、原稿保持部材６を画像読取装置本体１から取り外した（Ｓ１０６）後、通常の複写作業を行う。すなわち、原稿をコンタクトガラス７上に直接載置して、原稿押圧部材５を閉じて原稿を押え、複写を行う（Ｓ１１１）。このようにすれば、原稿保持部材６に原稿を装着する作業が省略できるので、原稿のレイアウトを短時間で行うことができる。
【００１８】
原稿保持部材６を使用する場合には（Ｓ１０１、ＹＥＳ）、画像読取装置本体１から離れた場所で原稿のセットを行うか否か判断し（Ｓ１０２）、離れた場所で行う場合には（Ｓ１０２、ＹＥＳ）、原稿保持部材６を上方に引っ張り上げ、画像読取装置本体１から取り外して、作業場所へ原稿保持部材６を移動する（Ｓ１０３）。次に、原稿保持部材６に読取領域表示シート４が接続されているか否か判断し（Ｓ１０４）、接続されていない場合には（Ｓ１０４、ＮＯ）、読取領域表示シート４を、透明平板部材２に歯形状突起１３と歯形状凹部１４を使って接続する（Ｓ１０５）。
【００１９】
次に、原稿を透明平板部材２のコンタクトガラス７側の面２Ｆに載置するが、画像読取装置本体１から原稿保持部材６を取り外して、画像読取装置本体１から離れた作業場所へ移動した場合には（Ｓ１０３）、透明平板部材２の面２Ｆを上向きにして（読取領域表示シート４を下にして）原稿保持部材６を作業場所に置く。透明シート３を矢印Ｃの−方向に開き、原稿を透明平板部材２の面２Ｆの上に、表面（複写面）を上向きにして載置する。透明平板部材２を透して裏側の読取領域表示シート４の読取領域が見え、かつ原稿の複写面が上向きなので、所要の読取領域内に原稿を容易に配置することができる。特に不定形の複数の原稿を配置する作業が容易になる。原稿の配置が完了したら、透明シート３を矢印Ｃの＋方向に閉じ、原稿を透明平板部材２と透明シート３との間で挟み込む（Ｓ１０７）。透明平板部材２は剛性が大きいので、きつくカールした原稿でもカールが戻ることがない。
【００２０】
このように、画像読取装置本体１から離れた作業場所で原稿のセットを行うようにすれば、原稿をセットしている時間中に、別の作業者が複写機５０を使用することができるため、複写機５０の稼働率が向上する。一台の複写機５０で複数の原稿保持部材６を用意しておけば、複数種類の原稿のセット作業を外段取りできるため、複写機５０の稼働率がさらに向上する。
【００２１】
また、画像読取装置本体１から原稿保持部材６を取り外さずに原稿をセットする場合には（Ｓ１０２、ＮＯ）、原稿保持部材６を原稿押圧部材５側にできるだけ傾けておいて作業を行えば、原稿の表面が上に向く割合が多くなるので、原稿のセットがしやすい。また、原稿押圧部材５が図１の垂直状態よりも後ろ側に大きく傾くようにすれば、原稿保持部材６をかなり傾けることができるので、原稿の表面が上に向く割合がさらに多くなり、原稿のセットがしやすい。
【００２２】
原稿のセットが完了したら、原稿保持部材６を作業場所から画像読取装置本体１に運び、軸受１０の突起１１を穴１２に挿入し、原稿保持部材６を画像読取装置本体１に接続する（Ｓ１０９）。次に、読取領域表示シート４を透明平板部材２から取り外す（Ｓ１１０）。原稿押圧部材５を閉じ、原稿押圧部材５の前面５Ｆで原稿保持部材６をコンタクトガラス７上に押しつけた後、操作部８を操作して複写作業を行う（Ｓ１１１）。複写時には、読取領域表示シート４を透明平板部材２から取り外すことができるため、読取領域表示シート４の読取領域が複写紙に複写される不具合が生じることはない。読取領域表示シート４を透明平板部材２から取り外す作業は、原稿保持部材６を画像読取装置本体１に接続する前に行ってもよい。
【００２３】
【発明の効果】
請求項１に対応する効果：原稿押圧部材と原稿台との間で開閉可能な原稿保持部材を、剛性のある透明平板部材と、透明平板部材との間で原稿を保持する透明シートとから構成したので、原稿の表面を見ながら原稿のレイアウトを決めることができ、かつ、カールした原稿の折れや位置ズレを無くすことができる。
請求項２に対応する効果：原稿の表面を見ながら原稿のレイアウトを決めることができ、かつ、カールした原稿の折れや位置ズレを無くすことができるとともに、原稿保持部材を画像読取装置本体に対して着脱可能に取り付けるようにしたため、画像読取装置から離れた場所で原稿のレイアウト作業を行うことが可能となり、原稿のレイアウト作業中に画像読取装置を占有しないため、別の作業者が画像読取装置を使用することができ、結果として、画像読取装置の稼働率が向上する。また、原稿保持部材を画像読取装置本体に対して着脱可能に取り付けるようにしたため、定型で、かつカールしていない原稿の場合には、原稿保持部材を画像読取装置本体から取り外し、原稿保持部材を使用しないで原稿のレイアウト作業を行うことで、原稿のレイアウトを短時間で行うことができる。
請求項３に対応する効果：原稿のセットが完了した後の原稿読み取り時には、読取領域表示シートを透明平板部材から取り外すことができるので、読取領域表示シートの余計な読取り領域が読み込まれることを防止することができる。
【図面の簡単な説明】
【図１】本発明の画像読取装置の全体を示す斜視図である。
【図２】図１の画像読取装置に使用する原稿保持部材の一部をＡ矢視方向から見た拡大斜視図である。
【図３】図１の原稿保持部材を画像読取装置本体に対して着脱する機構を示す斜視図である。
【図４】透明平板部材に対して着脱可能な読取領域表示シートの一部を示す拡大斜視図である。
【図５】本発明の画像読取装置の原稿セット作業の流れを示すフローチャートである。
【符号の説明】
１…画像読取装置本体、２…透明平板部材、３…透明シート、４…読取領域表示シート、５…原稿押圧部材、６…原稿保持部材、７…コンタクトガラス、９…軸、１０…軸受、１１…突起、１２…穴、１３…歯形状突起、１４…歯形状凹部。
【図１】
2004317932.tif 000003
【図２】
2004317932.tif 000004
【図３】
2004317932.tif 000005
【図４】
2004317932.tif 000006
【図５】
2004317932.tif 000007